(57)【特許請求の範囲】
【請求項１】
固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記セラミックカートリッジの上流側に減圧弁を取り付けたことを特徴とする止水機能付シャワーヘッドを備えたシングルレバー式混合水栓。
【請求項２】
固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記可動板は上部を開口した円筒状で上部から把手軸と連繋するガイドを水密的に嵌合することでガイドと可動板の底面との間に湯水の混合室を形成し、可動板の底面で案内口の周囲全体に、混合室を通過する湯水による圧力水が固定板側へ作用する作用面を前記ガイドの天上面より広い面積で形成したことを特徴とする止水機能付シャワーヘッドを備えたシングルレバー式混合水栓。
【発明の詳細な説明】
【０００１】
【発明の属する技術分野】
本発明は、セラミックカートリッジにより湯水の温度及び流量調節を行うシングルレバー式混合水栓において、湯水を供給するシャワーヘッドが止水機能を持つシングルレバー式混合水栓に関する。
【０００２】
【従来の技術】
従来、洗面台や流し台、浴室に設置したシングルレバー式混合水栓において、セラミックカートリッジと連繋したレバーにより湯水の温度及び流量調節を行い、ホース先端のシャワーヘッドに止水機能を持たせたものに図７及び図８のものがある。これは、横長の水栓本体３は洗面台のカウンター１に取り付けられるものであり、下部の左右両端に間隔をおいて接続した給水管４及び給湯管５をカウンター１の各挿通孔２に挿通し、給水管４及び給湯管５外周の各雄ねじ部６にカウンター１の下部からナット７を螺着することによりカウンター１に固定される。
【０００３】
８は水栓本体３の図中右側上面に螺合装着した弁機能部で、内部に収容したセラミックカートリッジ９は前記給水管４及び給湯管５に連通する弁室１０にセラミックの成型による固定板１１及び同じくセラミックの成型で該固定板１１との空間に混合室１３を形成した可動板１２とを摺り合わせ状に重ね合わせて内装し、該可動板１２には上部からパッキン１４を介してガイド１５が嵌合して配置され、該ガイド１５の上端面に凹設した凹部１６に把手軸１７の下端が嵌入し、該把手軸１７の上部をレバー１８の下部から凹設した円柱状の傾斜孔１９に嵌合してビス２０により結合している。
【０００４】
従って、レバー１８の操作により前記可動板１２と固定板１１との弁開閉の対応関係を変化させることによって、混合室１３を通過する湯水の温度及び流量を調節し、水栓本体３の後面に螺合した回転自在のエルボ２１を介してホース２２先端に連結したシャワーヘッド２３へ湯水を供給するようにしている。
【０００５】
前記シャワーヘッド２３は水栓本体３の図中左側から立設して装着した回転自在のホルダー３１に支持されており、このシャワーヘッド２３は先端にボタン２４の操作でホース２２から供給される湯水の流路を切り換える弁体２６を配置し、該弁体２６の移動により手洗いに適した整水路２７又は洗髪に適した散水路２８から湯水を外部へ吐出するようにしている。
【０００６】
また、シャワーヘッド２３は流路２５を開閉し、湯水の流量調節及び吐水、止水を行うことのできる止水弁３０を先端に備えたハンドル２９が設けられている。
【０００７】
上記のものはシャワーヘッドを手に持ち、ホルダーから引き出して使用する場合に、わざわざ離れた位置にある弁機能部のレバーまで手を伸ばさなくてもシャワーヘッドのハンドルを操作すれば流量調節及び吐水、止水をできるものである。
【０００８】
しかし、この混合水栓はシャワーヘッドのハンドルで止水をすると、弁機能部のレバーは吐水位置にあるのでセラミックカートリッジの二次側の圧力が一次側の圧力より高くなり、二次側の圧力水が固定板と可動板の間の混合室に加わり可動板を固定板から引き離す方向に作用することで水密性が低下し、しかも高い圧力水でパッキンが変形するので両板の摺動面やパッキンから漏水が発生するという問題があった。
【０００９】
【発明が解決しようとする課題】
本発明が解決しようとする課題は、セラミックカートリッジにより湯水の温度及び流量調節を行うシングルレバー式混合水栓において、ホース先端のシャワーヘッドで止水をした場合のセラミックカートリッジからの漏水を防止するものである。
【００１０】
【課題を解決するための手段】
本発明は請求項１では、固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記セラミックカートリッジの上流側に減圧弁を取り付けたものである。
【００１１】
また請求項２では、固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記可動板は上部を開口した円筒状で上部から把手軸と連繋するガイドを水密的に嵌合することでガイドと可動板の底面との間に湯水の混合室を形成し、可動板の底面で案内口の周囲全体に、混合室を通過する湯水による圧力水が固定板側へ作用する作用面を前記ガイドの天上面より広い面積で形成したものである。
【００１２】
【発明の実施の形態】
以下、本発明の実施の形態を図に基づいて説明する。
本発明の第１実施例は前述した従来例とは減圧弁を備えた点が異なるのみで、他の構成は同一であるので同一部材には同一符号を付して説明を省略する。本実施例は図１に示すように、給水源，給湯源とそれぞれ連通する給水管４及び給湯管の下部に、従来公知の圧力を低下させる減圧弁３２を取り付けている。
【００１３】
このように給水源と給水管及び給湯源と給湯管の間に減圧弁を取り付けておけば、減圧弁によりセラミックカートリッジへ供給される水，湯の給水圧及び給湯圧が高くても低下させることができ、弁機能部のレバーは吐水位置の状態でシャワーヘッドから吐水中にシャワーヘッドのハンドルで止水をしても、セラミックカートリッジを通過する水，湯の圧力は低く抑えられているので混合室を通過する湯水の圧力が急上昇することはなく、セラミックカートリッジから水漏れが発生することはない。
【００１４】
図２乃至図６は本発明の第２実施例であり、この実施例はセラミックカートリッジの耐圧性能を向上させたものであり、セラミックカートリッジを図７の従来のものから耐久性能を向上させた図２乃至図６のものに変更するものである。
【００１５】
本実施例では、セラミックカートリッジ９ａの内部に固定して収容される固定板１１ａは図２及び図３に示すようにセラミックの成型による円盤型で、摺接面１１ｂの中心部には両面に貫通させた湯水の吐出孔１１ｃを設けると共に、該吐出孔１１ｃの孔中心を軸心とする円周方向の同一円弧上に給湯孔１１ｄ及び給水孔１１ｅをそれぞれ同様に貫通させてある。
【００１６】
別に設けた同じくセラミックで成型された可動板１２ａは上部を開口した円筒形で、図２及び図４に示すように前記固定板１１ａと比較してひと回り外径が小さく底面１２ｂの中心からやや偏心した位置に穿設され円形部１２ｄと突出部１２ｅからなる第１案内口１２ｃと、底面１２ｂの外周縁に沿ってほぼ円弧状に穿設された第２案内口１２ｆを備え、可動板１２ａが固定板１１ａ上を摺動することで第１案内口１２ｃは固定板１１ａの給湯孔１１ｄと吐出孔１１ｃを連絡し、第２案内口１２ｆは給水孔１１ｅと吐出孔１１ｃを連絡して吐出される湯水の流量及び温度を調節する。
【００１７】
この可動板１２ａは円形に開口した上部からパッキン１４ａを介してガイド１５ａが水密に嵌合して配置され、このガイド１５ａの天上面１５ｂと可動板１２ａの作用面１２ｇの間の空間に湯水の混合室１３ａを形成している。前記作用面１２ｇは可動板１２ａの底面１２ｂのうち前記第１案内口１２ｃ及び第２案内口１２ｆの周囲に形成された壁からなり、前記ガイド１５ａの天上面１５ｂより広い面積となるように形成し、この作用面１２ｇの全体に混合室１３ａを通過する湯水の圧力水が混合室１３ａから固定板１１ａへ向かい可動板１２ａの摺接面１２ｂを押圧するように作用する。
【００１８】
前記ガイド１５ａの上端部に凹設した凹部１６ａにはレバー１８と連繋する把手軸１７ａの下端が嵌入し、把手軸１７ａの揺動によって前記ガイド１５ａの凹部１６ａを支点として可動板１２ａが固定板１１ａ上を摺動することでシャワーヘッド２３から供給される湯水の温度及び流量を調節する。
【００１９】
今、図５に示す固定板１１ａと可動板１２ａの位置関係では固定板１１ａの給湯孔１１ｄ及び給水孔１１ｅは可動板１２ａの摺接面１２ｈによって閉塞され湯水は止水状態にある。この状態からレバー１８と連繋した把手軸１７ａが止水位置から吐水方向へ移動すると固定板１１ａと可動板１２ａの弁開閉の位置関係は図６に示すように固定板１１ａの給湯孔１１ｄは可動板１２ａの第１案内口１２ｃと連通し、給水孔１１ｅは第２案内口１２ｆと連通しているので湯及び水は可動板１２ａの混合室１３ａ内に流入して混合し、固定板１１ａの吐出孔１１ｃを通過した湯水は外部へ供給される。この時シャワーヘッド２３のハンドル２９の操作で止水をすると、セラミックカートリッジ９ａの混合室１３ａに二次側からの高い圧力水が作用するが、混合室１３ａ内の湯水はガイド１５ａの天上面１５ｂと可動板１２ａの斜線で示す作用面１２ｇの両方に作用し、作用面１２ｇは天上面１５ｂより広い面積となるように形成されているので、その面積の差だけ作用面１２ｇに多くの圧力水が加わり、可動板１２ａは固定板１１ａに強く押圧され摺動面の水密を確実にし、漏水を防止することができる。
【００２０】
【発明の効果】
本発明は請求項１では、固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記セラミックカートリッジの上流側に減圧弁を取り付けたので、減圧弁によりセラミックカートリッジへ供給される水，湯の給水圧及び給湯圧が高くても低下させることができ、弁機能部のレバーは吐水位置の状態でシャワーヘッドから吐水中にシャワーヘッドのハンドルで止水をしても、セラミックカートリッジを通過する湯水の圧力は低く抑えられているので混合室を通過する湯水の圧力が急上昇することはなく、セラミックカートリッジから水漏れが発生することはない。
【００２１】
また請求項２では、固定板と可動板とを摺り合わせ状に重ね合わせ、両板の空間に混合室を形成したセラミックカートリッジをレバーに連繋し、該レバーの操作により湯水の温度及び流量を調節し、さらにホース先端のシャワーヘッドに設けたハンドルにより前記混合室から供給される湯水の吐水、止水の可能なシングルレバー式混合水栓において、前記可動板は上部を開口した円筒状で上部から把手軸と連繋するガイドを水密的に嵌合することでガイドと可動板の底面との間に湯水の混合室を形成し、可動板の底面で案内口の周囲全体に、混合室を通過する湯水による圧力水が固定板側へ作用する作用面を前記ガイドの天上面より広い面積で形成したので、シャワーヘッドの止水ハンドルの操作で止水をすると、セラミックカートリッジの混合室に一次室からの高い圧力水が作用するが、可動板の作用面はガイドの天上面より広い面積となるように形成されているので、その面積の差だけ作用面に多くの圧力水が加わり、可動板は固定板に強く押圧され水密を確実にし、漏水を防止することができる。
【図面の簡単な説明】
【図１】本発明の第１実施例におけるシングルレバー式混合水栓の側断面図である。
【図２】第２実施例におけるセラミックカートリッジの断面図である。
【図３】固定板の平面図である。
【図４】可動板の底面図である。
【図５】固定板と可動板の対応位置関係を示す説明図で、湯水止水時である。
【図６】固定板と可動板の対応位置関係を示す説明図で、湯水全開吐水時である。
【図７】従来技術の説明図で、シングルレバー式混合水栓の側断面図である。
【図８】図７のシングルレバー式混合水栓の正面図である。
【符号の説明】
９，９ａ                セラミックカートリッジ
１１，１１ａ            固定板
１２，１２ａ            可動板
１２ｂ                  底面
１２ｃ                  第１案内口
１２ｆ                  第２案内口
１２ｇ                  作用面
１３，１３ａ            混合室
１５，１５ａ            ガイド
１５ｂ                  天上面
１７，１７ａ            把手軸
２２                    ホース
２３                    シャワーホース
２９                    止水ハンドル
３２                    減圧弁
【図１】
0004334039.tif 000002
【図２】
0004334039.tif 000003
【図３】
0004334039.tif 000004
【図４】
0004334039.tif 000005
【図５】
0004334039.tif 000006
【図６】
0004334039.tif 000007
【図７】
0004334039.tif 000008
【図８】
0004334039.tif 000009